(57)【要約】      （修正有）【課題】座部組立と脚部組立の結合が容易であり、製造、販売する段階では座部組立と脚部組立は別々にして輸送し、店先、客先で組立をすることが容易であるメリットも大きいパチンコ椅子支柱の座部支持構造を提供する。【解決手段】座部組立のスライダー４の下面に円筒状のスライダー筒部１７が突き出て居り、筒部内面からスライダーの中まで垂直に切ってある雌テーパー穴５に支柱の上端の支柱雄テーパーが嵌り込み、雄テーパー面から突出したタッピングねじ頭が嵌まり込む切り欠き７が雌テーパー穴５、及びスライダー筒部１７内面にあり、スライダー筒部１７の先端に一部切り欠きのあるドーナツ状の回転可能なキャップ６をかぶせ回転させることにより、キャップ６が下方に抜けなくなると同時に前述のタッピングねじ頭がキャップ６で塞がれ、支柱も下方に抜けなくなり、結果的に座部組立と支柱脚組立を結合させる構造とする。【選択図】図１
0003165389.tif 000002
【実用新案登録請求の範囲】
【請求項１】
スライド機構を下面に具備する座部組立と支柱を具備する脚部組立で構成するパチンコ椅子において、スライド機構のチャンネル状スライドレール下部に嵌っているプラスチック製スライダーに円筒が下方に突き出た形状をして居り、円筒内面からスライダーの中まで切ってある垂直方向雌テーパー穴に前述の支柱の上端部分の雄テーパー部が嵌り込み、嵌まり込むテーパー部側面の一箇所のタッピングねじ穴にタッピングねじをねじ込んでテーパー面から突出したタッピングねじの頭が前述の雌テーパー穴に嵌まり込むように雌テーパー穴の一部に縦方向に切り欠きがあり、前述の円筒先端遠心外方向に対抗的にある角度円周に沿ってリブが出ている。
そのリブの出ている角度を避けて断面がＬ字型のリブが上方遠心方向内側に付き、支柱を通す穴にタッピングねじの頭が通せる切り欠きのあるドーナツ状の形状のキャップを下方から上方に押し上げて嵌め、ある角度回転させるとスライダーからキャップが抜けなくなると同時に座部組立から脚部組立が抜けなくすることが出来るパチンコ椅子支柱の座部支持構造。
【考案の詳細な説明】
【技術分野】
【０００１】本考案はパチンコ、スロットをプレイするため着座する各種椅子のうち、最も一般的な１本支柱形式の椅子の支柱と座部との結合構造に関するものである。
【背景技術】
【０００２】従来から１本支柱形式の椅子の座部組立には、ほぼ平面の座板、あるいは板状の材料の上にクッション性の材料が乗った座部組立の下面で支柱上端のフランジでねじ止め、ボルト止め、或いは溶接で結合されていた。
支柱にフランジを付けなく座板、或いは床に乗る脚体に支柱を圧入や溶接での結合をさせている物も存在した。【０００３】また、１本支柱形式の椅子の座部組立には座部が前後にスライドするスライド機構を具備するものも多く、その場合の１本支柱はスライド機構のスライダー、又はスライドレールに支柱上端のフランジでねじ止め、ボルト止め、或いは溶接結合されていた。
この場合もスライド機構を具備しない場合と同様、支柱にフランジを付けなく座板、或いは床に乗る脚体に支柱を圧入や溶接で結合させている物もあった。
上記内容の例の参考文献として脚体と支柱を圧入で嵌め合わせている例の特許文献１と支柱上部先端にフランジを付け、ねじ止めしている例の特許文献２を下に列記する。
【特許文献１】特開平７−２９８９４５
【特許文献２】特開平１０−７５８５６
【考案の開示】
【考案が解決しようとする課題】
【０００４】従来のパチンコ椅子の座部組立と脚部組立の結合方式では椅子の補修にあたり、溶接結合の場合、溶接部分をはずすのは容易でなく、椅子全体が結合したままの状態で補修しなければならず、分解できる場合に比べ、すこぶる面倒であった。
フランジでねじ止め、或いはボルト止めの場合も、椅子を倒して、或いは作業者が椅子の下にもぐって、ねじ、或いはボルトをはずして初めて座部組立と脚部組立がはずすことが出来るということで、ワンタッチと言うわけには行かず簡易に補修が出来るよう座部組立と脚部組立を簡易にはずす構造が課題であった。
補修時のみならず、新規に製造する過程においても、筐体がかさばり、片手で持ち組立作業するにはやや困難な大きさの座部組立と脚部組立を溶接、ボルト締め、ねじ止めする面倒も省けないかが大きな課題でもあった。
【課題を解決する為の手段】
【０００５】  本考案は［請求項１］にあるように、スライド機構を具備するパチンコ椅子において、スライド機構を下面に具備する座部組立と支柱を具備する脚部組立で構成されており、前述のスライド機構のチャンネル状スライドレール下部に嵌められているスライダー下面に円筒が突き出て居り、円筒内面からスライダーの中まで切ってある垂直方向雌テーパー穴に前述の支柱の上端部分の雄テーパー部が嵌り込み、嵌まり込むテーパー部側面の一箇所のタッピングねじ穴にタッピングねじをねじ込んでテーパー面から突出したタッピングねじの頭が、前述の雌テーパー穴に当たらないように雌テーパー穴、及び前述の円筒内面に縦方向に切り欠きがあり、前述の円筒先端は遠心外方向に対抗的にある角度のみ円周に沿ってリブが出ている。
そのリブの出ている角度を避けて断面がＬ字型のリブが上方遠心内側に付き、支柱を通す穴にタッピングねじの頭が通せる切り欠きのあるドーナツ状の形状のキャップを下方から上方に押し上げて嵌め、ある角度回転させるとキャップの切り欠き部分が回転によりずれるため、支柱のタッピングねじの頭がキャップに当たると同時に、前述の円筒先端の外方向リブが前述のキャップのＬ字型リブとそれぞれの出っ張った部分が上下になるため、スライダーからキャップが抜けなくな利、結果的に座部組立から脚部組立が抜けなくすることが出来るパチンコ椅子支柱の座部支持構造。
【考案の効果】
【０００６】前項で説明した本考案では、補修時はサブ組立の下に手を入れ、スライダー下部に嵌っているキャップを回転させ、座部組立を上方に持ち上げれば容易に座部組立と脚部組立の着脱が出来る。
又、椅子の製造段階においては、サブ組み立てと脚部組立を別々に製造し、最後にキャップの切り欠きとスライダーの雌テーパーの切り欠きを重なるようキャップの水平角度を合わせ、座部組立を支柱の雄テーパーがスライダーの雌テーパーに嵌る様に前述のタッピングの頭が前述の切り欠きを通るように上から下に下ろし、キャップをある角度回しておけば座部組立と脚部組立は結合される。
このように座部組立と脚部組立の結合が容易であるため、製造、販売する段階では座部組立と脚部組立は別々にして輸送し、店先、客先で組立をすることも容易であるメリットも大きい。
【考案を実施するための最良の形態】
【実施例】
【０００７】以下、本考案のパチンコ椅子支柱の座部支持構造についての実施形態例として本考案の使用例を説明する。
図１は本考案の実施例の座部支持構造を示す部分の断面図で、図２が支柱を含む脚部組立の側面図である。
図３はスライド機構部を実際取り付けの上下を逆さまにして見た斜視図である。
図４はキャップの斜視図である。
図１の座部組立図のクッション材２が敷かれた座板１はスライドレール取付板１６にボルトナットＡ２１で固定され、スライドレール３も同様ボルトナットＢ２２でスライドレール取付板１６に固定されている。
チャンネル上のスライドレール３の内側にはすべりをよくするための樹脂部材１８を介してスライダー４が嵌って居り、スライダー４は基準位置に戻すためのスライダー保持スプリング１４を具備し、スプリング端は図３で示している位置にあるスライドストップ板１３につながれている。
スライダー４のほぼ中央の位置にスライダー筒部１７がありその内側に雌テーパー穴５と雌テーパー穴５の下端からスライダー筒部１７の内面に縦方向に切り欠きがあり、支柱雄テーパー１１の一部にねじ込んであるタッピングねじ頭１２があたらないように支柱９が雌テーパー穴の上端まで嵌め込む事が出来るようになっている。
図１はキャップ６がスライダー筒部１７に嵌め込まれた図を示している。
スライダー筒部１７、その先端のスライダー筒リブ２０、キャップ６、キャップ抜け防止リブ１５は図１の断面図のような嵌め合いになっているが、３次元的にはスライダー組立は図３、キャップは図４に示す形状になっている。図４のキャップ６には支柱雄テーパー１１の一部にねじ込んであるタッピングねじ頭１２が通せるキャップ切り欠き８がある。
又、図２に示すとおり支柱９は脚体１０の上に立っており、タッピングねじ頭１２が支柱雄テーパー１１に配置されている。【０００８】本考案が従来の課題を解決する機構になっていることを以下に説明する。
スライド機構を具備するパチンコ椅子はスライド機構を下面に具備する座部組立と支柱を具備する脚部組立で構成されている。
前述のスライド機構のチャンネル状スライドレール３に嵌められているスライダー４の下面に円筒状のスライダー筒部１７が突き出て居り、筒内面からスライダーの中まで切ってある垂直方向雌テーパー穴５に前述の支柱９の上端部分の支柱雄テーパー１１が嵌り込み、嵌まり込む支柱雄テーパー１１の側面の一箇所のタッピングねじ穴にタッピングねじをねじ込んで雄テーパー面から突出したタッピングねじ頭１２が、前述の雌テーパー穴５、及びスライダー筒部１７の内面に当たらないように縦方向に雌テーパー切り欠き７があり、前述のスライダー筒部１７の先端には支柱を通す穴にタッピングねじ頭１２が通せる切り欠きのあるドーナツ状の形状の回転可能なキャップ６を嵌めることが出来、キャップ抜け防止リブ１５がスライダー筒リブ２０の欠けている角度で下方から上方に押し上がるところまで上げたあと、キャップ抜け防止リブ１５がスライダー筒部１７側面から突出している回転止めリブ１９に当たるまで回転させる。
キャップ６はキャップ抜け防止リブ１５スライダー筒リブ２０の上に来る為、キャップをそのまま下方に押し下げようとしても外れない。
又、キャップ切り欠き８はキャップ６の回転により雌テーパー切り欠き７からずれてしまっている為、タッピングねじ頭１２は雌テーパー切り欠き７の中に閉じ込められた形となり、支柱９は下方に引っ張っても抜けなく、即ち、座部組立と支柱組立は結合された状態となる。
【産業上の利用可能性】
【０００９】自明ゆえ、説明は省略する。
【図面の簡単な説明】
【００１０】
【図１】本考案の実施例の座部支持構造を示す部分の断面図。
【図２】支柱を含む脚部組立の側面図である。
【図３】スライド機構部を実際取付の上下を逆さまにして見た斜視図である。
【図４】キャップの斜視図である。
【符号の説明】１．座板
２．クッション材
３．スライドレール
４．スライダー
５．雌テーパー穴
６．キャップ
７．雌テーパー切り欠き
８．キャップ切り欠き
９．支柱
１０．脚体
１１．支柱雄テーパー
１２．タッピングねじ頭
１３．スライドストップ板
１４．スライダー保持スプリング
１５．キャップ抜け防止リブ
１６．スライドレール取付板
１７．スライダー筒部
１８．樹脂部材
１９．回転止めリブ
２０．スライダー筒リブ
２１．ボルトナットＡ
２２．ボルトナットＢ
【図１】
0003165389.tif 000003
【図２】
0003165389.tif 000004
【図３】
0003165389.tif 000005
【図４】
0003165389.tif 000006